(57)【特許請求の範囲】
【請求項１】
顧客から申込のあった商品を前記顧客に発送するときに用いられる商品発送用帳票であって、
商品の払込情報が表示されているとともに、顧客又はその商品に関する個別情報が記録される個別情報記録領域を所定面側に有し、商品とともに顧客に発送されることにより顧客による商品の料金の支払いに使用される振替用紙部と、
申込のあった商品の納品情報が記録される納品情報記録領域を前記所定面側に有し、前記振替用紙部とともに顧客に発送される納品書部と、
申込のあった商品の選定情報が記録される選定情報記録領域を前記所定面側に有し、その顧客に対応する商品を選定するときに使用される商品リスト用紙部と、
前記商品リスト用紙部内の所定領域に設けられ、前記所定面側の裏面に粘着剤が塗布形成され、その上面にセパレータが貼付され、前記所定面側から切り込みを設けてなる、顧客の宛名等の発送情報を印字するためのラベル部とを備え、
前記振替用紙部及び前記納品書部と、前記商品リスト用紙部とが、ミシン目によって裁断可能に一体で形成されていることを特徴とする商品発送用帳票。
【発明の詳細な説明】
【０００１】
【産業上の利用分野】
この発明は、顧客から申込のあった商品を前記顧客に発送するときに用いる商品発送用帳票に関するものである。
【０００２】
【従来の技術】
従来より、顧客から商品の注文を受け、その商品を顧客に発送することは、通販会社等により広く行われている。図３は、従来の通販会社等における商品の発送業務の一例を説明する図である。
先ず、通販会社は、顧客から商品の申込を受けると、その申込にかかる情報を端末１に入力する。この申込情報はホストコンピュータ２に送信され、ホストコンピュータ２と電気的に接続された複数のプリンタ３〜６により、それぞれその商品の発送に必要な帳票に必要事項が印字される。プリンタ３は、商品の納品書を発行するためのものであり、顧客によって申し込まれた商品の一覧等を印字する。プリンタ４は、郵便振替用紙を発行するためのものであり、商品の料金や顧客の宛名等を印字する。プリンタ５は、商品のピッキングリストを発行するためのものであり、顧客から注文を受けた商品の商品コード等を印字する。プリンタ６は、宛名ラベルを発行するためのものであり、顧客の宛名等を印字する。
【０００３】
発送元は、先ず、商品のピッキングリストに基づき、例えば多種類の商品が収納されている収納室からその顧客によって注文を受けた商品を選定する。次に、商品の納品書や郵便振替用紙とともに商品が梱包される。そして、この発送物の外面に宛名ラベルが貼付されて顧客に発送される。
顧客は、発送物を受け取ると、商品の納品書によって注文した商品を確認し、郵便振替用紙によって商品の料金を支払う。
【０００４】
【発明が解決しようとする課題】
しかし、前述の従来の商品の発送方法では、それぞれ必要事項が印字された複数の帳票をひとまとめにしているが、このマッチング作業が煩雑であるとともに、マッチングミスや発送もれ等が発生しやすいという問題があった。
【０００５】
本発明は、上述のような課題を解消するためになされたものであって、商品の発送業務に必要な帳票の発行、及び商品の発送業務の効率化を図ることを目的とする。
【０００６】
【課題を解決するための手段】
上述の目的を達成するために、請求項１の発明は、顧客から申込のあった商品を前記顧客に発送するときに用いられる商品発送用帳票（１０）であって、商品の払込情報が表示されているとともに、顧客又はその商品に関する個別情報が記録される個別情報記録領域を所定面側に有し、商品とともに顧客に発送されることにより顧客による商品の料金の支払いに使用される振替用紙部（１５）と、申込のあった商品の納品情報が記録される納品情報記録領域を前記所定面側に有し、前記振替用紙部とともに顧客に発送される納品書部（１４）と、申込のあった商品の選定情報が記録される選定情報記録領域を前記所定面側に有し、その顧客に対応する商品を選定するときに使用される商品リスト用紙部（１３）と、前記商品リスト用紙部内の所定領域に設けられ、前記所定面側の裏面に粘着剤が塗布形成され、その上面にセパレータが貼付され、前記所定面側から切り込みを設けてなる、顧客の宛名等の発送情報を印字するためのラベル部（１６）とを備え、前記振替用紙部及び前記納品書部と、前記商品リスト用紙部とが、ミシン目によって裁断可能に一体で形成されていることを特徴とする。
【０００７】
【作用】
請求項１の発明においては、振替用紙部，納品書部，商品リスト用紙部が一体で形成されているので、１回の印字処理でこれらの帳票に所定事項が印字される。また、商品の選定が商品リスト用紙部に基づいて行われ、その商品とともに振替用紙部及び納品書部が梱包される。従って、各帳票のマッチングミスや発送もれがなくなる。
請求項２の発明においては、ラベル部には、発送情報が印字される。そして、このラベル部が発送物の外面に貼付される。従って、発送先の宛名等の誤りがなくなる。
請求項３の発明においては、ラベル部が商品リスト用紙部内に設けられる。従って、商品の選定から発送物への宛名の付与に至るまでの作業を効率良く行うことができる。
請求項４の発明においては、ミシン目を裁断することによって振替用紙部及び納品書部と商品リスト用紙部とが分離される。従って、振替用紙部及び納品書部を発送物に梱包する際の作業性が向上する。
【０００８】
【実施例】
以下、図面等を参照して、本発明の一実施例について説明する。
図１は、本発明による商品発送用帳票の一実施例の構成を示す図である。この商品発送用帳票１０（以下、単に「帳票１０」という。）は、図中上下方向にミシン目等により連接された連続帳票である。帳票１０は、裁断可能なミシン目１１，１２によりそれぞれ帳票片１３，１４，１５に分けられている。
帳票片１３は、商品リスト用紙となる部分であり、商品のピッキングリストが印字される記録領域１３ａを有している。また、この帳票片１３には、顧客の宛名等を印字するためのラベル部１６が設けられている。ラベル部１６は、先ず帳票片１３の裏面に粘着剤が塗布形成され、その上面にセパレータ１６ｂが貼付され、表面側から型抜き等によって切り込み１６ａを設けることで形成される。この工程は、例えばフンケラー社（スイス）製のフォーム加工機「ウェブフィニッシングシステム」を用いて行われる。
帳票片１４は、商品の納品書となる部分であり、商品の明細内容が印字される領域１４ａを有している。
帳票片１５は、郵便振替用紙となる部分であり、裁断可能なミシン目１５ｃによって払込取扱票１５ａと、払込票兼受領証１５ｂとに分けられている。
【０００９】
次に、この帳票１０の使用方法について説明する。
先ず、顧客から送られてきた申込用紙に基づき、端末に申込データを登録する。そして、この申込データに基づき、帳票１０に所定事項をプリンタにて出力する。ここで、帳票片１３〜１５の印字面は、全て図１における表面であるので、プリンタにより片面印字を行うことができる。帳票片１３の記録領域１３ａには、商品の棚コード，商品コード，商品名，色，サイズ，数量，金額等が印字される。また、各ラベル部１６には、顧客の郵便番号，住所，氏名，会員番号等が印字される。帳票片１４の記録領域１４ａには、商品の明細、例えば商品名，数量，金額，合計金額が印字される。さらに、帳票片１４の他の領域には、顧客の氏名，会員番号，挨拶文や、商品の購入によって得たサービスポイント点数等が印字される。帳票片１５には、商品の金額や、顧客の住所，氏名，会員番号等が印字される。
【００１０】
図２は、所定事項が印字された帳票１０の使用の流れを示す図である。作業者は、帳票片１３すなわち商品リスト用紙を見て、その顧客の商品を選定する。そして、ミシン目１１から帳票片１３側と、帳票片１４及び１５側に分離し、帳票片１４及び１５とともに、選定した商品を梱包する。また、作業者は、帳票片１３からラベル部１６を剥離し、梱包した発送物の外面に貼付する。ここで、発送する商品が複数個口になる場合には、それぞれの発送物にラベル部１６を貼付する。また、帳票片１４及び１５は、いずれかの発送物内に入れられる。
以上の発送作業の流れにより、商品の選定から梱包までの一連の作業が帳票１０に基づいて行われるので、顧客とその申込があった商品とのマッチングミスがなくなる。また、帳票１０の一部が裁断された商品の納品書等が商品とともに梱包されるので、これらの書類の発送もれ等がなくなる。また、商品とこれらの書類とのマッチングミスがなくなる。
【００１１】
顧客は、発送されてきた商品を帳票片１４すなわち納品書により確認し、ミシン目１２を裁断して帳票片１５すなわち郵便振替用紙を切り放し、指定の料金を支払う。
【００１２】
以上、本発明の一実施例について説明したが、本発明は、上述した実施例に限定されることなく、その要旨を逸脱しない範囲内で種々の変形が可能である。例えば、ラベル部１６は、必要に応じて設けられるものであり、いくつ設けても良い。また、商品リスト用紙となる帳票片１３の領域内に形成せずに、ラベル部１６を設ける帳票片を形成しても良い。
【００１３】
【発明の効果】
本願発明によれば、商品発送用帳票を構成する振替用紙部と納品書部と商品リスト用紙部とがミシン目によって裁断可能に一体で形成されてなり、かつ、前記商品リスト用紙部の所定領域がラベル部となるので、１回の印字処理によってラベル部を含め発送作業に必要な帳票が形成される。そのため、印字処理の効率化を図ることができるという効果がある。
【図面の簡単な説明】
【図１】本発明による商品発送用帳票の一実施例の構成を示す図である。
【図２】所定事項が印字された帳票１０の使用の流れを示す図である。
【図３】従来の通販会社等における商品の発送業務の一例を説明する図である。
【符号の説明】
１０  商品発送用帳票
１１，１２  ミシン目
１３  帳票片（商品リスト用紙）
１３ａ  記録領域
１４  帳票片（納品書）
１４ａ  記録領域
１５  帳票片（郵便振替用紙）
１５ａ  払込取扱票
１５ｂ  払込票兼受領証
１６  ラベル部
１６ａ  切り込み
１６ｂ  セパレータ
【図１】
0003908284.tif 000002
【図２】
0003908284.tif 000003
【図３】
0003908284.tif 000004